【手続補正書】
【提出日】平成24年11月15日(2012.11.15)
【手続補正１】
【補正対象書類名】特許請求の範囲
【補正対象項目名】全文
【補正方法】変更
【補正の内容】
【特許請求の範囲】
【請求項１】
映像入力手段と、
音声入力手段と、
前記音声入力手段から入力された音声に対して音声認識を行う音声認識手段と、
前記音声認識手段で特定の音声を認識した際に前記映像入力手段から入力された画像に対し、前記特定の音声を認識した旨を示す認識結果情報を関連付けて記録するように制御する制御手段
とを有することを特徴とする記録制御装置。
【請求項２】
前記認識結果情報は、前記特定の音声を示すテキストを示す情報を含むことを特徴とする請求項１に記載の記録制御装置。
【請求項３】
前記記録制御手段は、前記音声認識手段で特定の音声を認識した場合であって、前記特定の音声との類似度が一定以上の音声を認識した場合には前記認識結果情報に前記テキストを示す情報を含め、前記特定の音声との類似度が一定未満の音声を認識した場合には前記認識結果情報に前記テキストを示す情報を含めずに記録するように制御することを特徴とする請求項２に記載の記録制御装置。
【請求項４】
前記画像は動画であることを特徴とする請求項１乃至３の何れか１項に記載の記録制御装置。
【請求項５】
前記制御手段は、前記認識結果情報を、前記特定の音声を認識した際の動画のフレームを特定できる情報と関連付けて記録するように制御することを特徴とする請求項４に記載の記録制御装置。
【請求項６】
前記制御手段は、前記認識結果情報を、前記特定の音声を認識した際の時間情報と関連付けて記録するように制御することを特徴とする請求項４または５に記載の記録制御装置。
【請求項７】
前記音声入力手段から入力される音声は、前記動画像の音声であることを特徴とする請求項４乃至６の何れか１項に記載の記録制御装置。
【請求項８】
撮像手段を更に有し、前記映像入力手段に入力される映像は、前記撮像手段で撮像された映像であることを特徴とする請求項１乃至７の何れか１項に記載の記録制御装置。
【請求項９】
前記撮像手段で行う撮影シーンとして、予め登録された複数の撮影シーンの何れかを設定する設定手段を有し、
前記特定の音声は前記設定手段で設定された撮影シーンに対応して予め登録されたものであることを特徴とする請求項８に記載の記録制御装置。
【請求項１０】
前記複数の撮影シーンの１つとして「結婚式」を含み、該「結婚式」に対応して予め登録された前記特定の音声として、「おめでとう」、「乾杯」を含むことを特徴とする請求項９に記載の記録制御装置。
【請求項１１】
記録された画像に関連付けられた前記認識結果情報が示すテキストの一覧を表示する表示制御手段を更に有することを特徴とする請求項１乃至１０の何れか１項に記載の記録制御装置。
【請求項１２】
ユーザ操作に応じて前記一覧から選択されたテキストが関連付いた画像を再生する再生手段を更に有することを特徴とする請求項１１に記載の記録制御装置。
【請求項１３】
前記画像が動画の場合、前記再生手段は、ユーザ操作に応じて前記一覧から選択されたテキストが関連付いた動画の位置から該動画を再生することを特徴とする請求項１２に記載の記録制御装置。
【請求項１４】
前記画像が動画の場合、前記再生手段は、ユーザ操作に応じて前記一覧から選択されたテキストが関連付いた動画の位置よりも所定時間前の位置から該動画を再生することを特徴とする請求項１２に記載の記録制御装置。
【請求項１５】
前記音声認識手段は、前記音声入力手段から入力された音声が一定レベル以上の音声である場合に、前記音声認識を行うことを特徴とする請求項１乃至１４の何れか１項に記載の記録制御装置。
【請求項１６】
前記音声認識手段は、前記音声入力手段から入力された音声が一定レベル以上の笑い声があった場合に、該笑い声のあった前後所定時間分の音声について前記音声認識を行うことを特徴とする請求項１乃至１５の何れか１項に記載の記録制御装置。
【請求項１７】
前記音声認識手段は、一定以上の期間、無音が継続した後の前記音声入力手段から入力された音声について前記音声認識を行うことを特徴とする請求項１乃至１６の何れか１項に記載の記録制御装置。
【請求項１８】
前記音声認識手段は、前記音声入力手段から入力された音声が予め登録されたユーザーの音声であると判定された場合に、前記音声認識を行うことを特徴とする請求項１乃至１７の何れか１項に記載の記録制御装置。
【請求項１９】
映像入力手段と、音声入力手段とを有する記録制御装置の制御方法であって、
前記音声入力手段から入力された音声に対して音声認識を行う音声認識ステップと、
前記音声認識ステップで特定の音声を認識した際に前記映像入力手段から入力された画像に対し、前記特定の音声を認識した旨を示す認識結果情報を関連付けて記録するように制御する制御ステップ
とを有することを特徴とする記録制御装置の制御方法。
【請求項２０】
コンピュータを、請求項１乃至１８のいずれか１項に記載された記録制御装置の各手段として機能させるためのプログラム。
【請求項２１】
コンピュータを、請求項１乃至１８のいずれか１項に記載された記録制御装置の各手段として機能させるためのプログラムを格納したコンピュータが読み取り可能な記憶媒体。
【手続補正２】
【補正対象書類名】明細書
【補正対象項目名】発明の名称
【補正方法】変更
【補正の内容】
【発明の名称】記録制御装置、その制御方法及びプログラム並びに記憶媒体
【手続補正３】
【補正対象書類名】明細書
【補正対象項目名】０００１
【補正方法】変更
【補正の内容】
【０００１】
本発明は、記録制御装置、その制御方法及びプログラム並びに記憶媒体に関する。
【手続補正４】
【補正対象書類名】明細書
【補正対象項目名】０００９
【補正方法】変更
【補正の内容】
【０００９】
本発明は、多数の記録画像から所望の画像を迅速且つ適切に検索できるようにした記録制御装置、その制御方法及びプログラム並びに記憶媒体を提示することを目的とする。
【手続補正５】
【補正対象書類名】明細書
【補正対象項目名】００１０
【補正方法】変更
【補正の内容】
【００１０】
本発明に係る記録制御装置は、映像入力手段と、音声入力手段と、前記音声入力手段から入力された音声に対して音声認識を行う音声認識手段と、前記音声認識手段で特定の音声を認識した際に前記映像入力手段から入力された画像に対し、前記特定の音声を認識した旨を示す認識結果情報を関連付けて記録するように制御する制御手段とを有することを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
本発明によれば、画像の内容を示す認識結果情報を音声から自動的に付与できる。これにより、記録画像の一覧、又は特定のキーワード条件で抽出した一覧から、所望の画像を効率的に検索できる。
【手続補正１０】
【補正対象書類名】明細書
【補正対象項目名】００２７
【補正方法】変更
【補正の内容】
【００２７】
撮影シーンが設定されている場合（Ｓ３）、テキスト化部１０７は、音声認識部１０６の認識結果からのテキストを、設定シーンに対してシーン設定部１１５に記憶されるテキストと比較し、類似度を算出する（Ｓ４）。例えば、音声認識結果とシーン設定部１１５に登録されるテキストが全く同じであれば、類似度は最も高い。音声認識結果と同じテキストがシーン設定部１１５に登録されていない場合、類似度が最も低い。例えば、音声認識結果が「おめでとさん」であるのに対し、シーン設定部１１５に登録されるテキストが「おめでとう」である場合、前から順に比較して４文字、一致する。６文字中４文字まで一致するので、類似度は６５％と設定する。逆に、シーン設定部１１５に登録されている文字の５文字に対する類似度を算出しても良い。この場合、５文字のうちの４文字「おめでと」が一致するので、類似度は８０％となる。